(57)【特許請求の範囲】
【請求項１】
略直方体の本体と、前記本体の天面に備えた天板と、前記本体に内蔵されて前記天板に載置された被加熱物を加熱する加熱コイルと、前記本体の前記加熱コイル中心より後方に備えた赤外線発信装置と、前記本体に内蔵された制御回路とを備えた加熱調理器と連動する換気扇装置であって、前記換気扇装置は、前記加熱調理器の上方に配置され、前記赤外線発信装置からの赤外線信号を受信する受信装置と、前記受信装置近傍に備えた反射材とを備え、前記反射材は、前記換気扇装置に着脱自在に備えられた構成とした換気扇装置。
【請求項２】
前記換気扇装置の一部は強磁性材料で形成され、前記反射材は磁石を備えた構成とした請求項１に記載の加熱調理器と連動する換気扇装置。
【発明の詳細な説明】
【技術分野】
【０００１】
本発明は一般家庭または業務用等で使用される加熱調理器と連動する換気扇装置に関するものである。
【背景技術】
【０００２】
従来、この種の換気扇装置は、加熱調理器の前部の操作部付近に備えた発信装置から赤外線を発信して、天板を構成するガラス板を通過させた赤外線を、換気扇装置に備えた受信装置で受信する構成としていた（例えば、特許文献１参照）。
【特許文献１】特許第３７９７９００号公報
【発明の開示】
【発明が解決しようとする課題】
【０００３】
しかしながら、前記従来の構成では、加熱調理器に備えられた発信装置が加熱調理器の前部に配置されているために、片手鍋の取っ手や調理する人の頭や手が発信された赤外線を遮断するといった課題を有していた。
【０００４】
本発明は、前記従来の課題を解決するもので、鍋の取っ手や人の手や頭が発信された赤外線を遮断することない加熱調理器と連動する換気扇装置を提供することを目的とする。
【課題を解決するための手段】
【０００５】
前記従来の課題を解決するために、本発明の換気扇装置は、略直方体の本体と、前記本体の天面に備えた天板と、前記本体に内蔵されて前記天板に載置された被加熱物を加熱する加熱コイルと、前記本体の前記加熱コイル中心より後方に備えた赤外線発信装置と、前記本体に内蔵された制御回路とを備えた加熱調理器と連動する換気扇装置であって、前記換気扇装置は、前記加熱調理器の上方に配置され、前記赤外線発信装置からの赤外線信号を受信する受信装置と、前記受信装置近傍に備えた反射材とを備え、前記反射材は、前記換気扇装置に着脱自在に備えられた構成としたものである。
【０００６】
これによって、本体後方から発信された赤外線を反射材が反射することで受信装置に確実に信号を伝えることができ、赤外線の進路に鍋の取っ手や人の手や頭がないので、赤外線信号を遮蔽断することなく確実に受信装置に伝えることが可能になる。
【０００７】
赤外線は直進する性質があり、発信装置と受信装置の間に遮蔽物や障害物があると遮断されてしまい、信号が受信装置に確実に届かないことがある。
【０００８】
反射材を赤外線の進路の途中に位置させて、赤外線を反射させて受信装置に誘導することで、直進する赤外線を確実に受信装置に導くことができる。
【０００９】
また、仮に赤外線発信装置を装着しない加熱調理器に入れ替えた場合には不要な反射材を取り外すことが可能である。不要な反射材を取り外した凹凸の少ない換気扇装置は掃除等がしやすく、見栄えも良くすることができる。
【００１０】
また、本発明の換気扇装置は、前記換気扇装置の一部は強磁性材料で形成され、前記反射材は磁石を備えた構成としたものである。
【００１１】
これによって、反射材を換気扇装置の任意の位置に固定することができるので、各家庭に設置する場合に各々最適な赤外線の反射状態に調整することができる。また磁石で固定するので換気扇装置には特別な加工を施す必要がなく、加工費用が軽減でき外観も凹凸をなくすことができるので見栄えを良くすることができる。
【発明の効果】
【００１２】
本発明の換気扇装置は、鍋の取っ手や人の手や頭が発信された赤外線を遮断することを防止できる。
【発明を実施するための最良の形態】
【００１３】
第１の発明は、略直方体の本体と、前記本体の天面に備えた天板と、前記本体に内蔵されて前記天板に載置された被加熱物を加熱する加熱コイルと、前記本体の前記加熱コイル中心より後方に備えた赤外線発信装置と、前記本体に内蔵された制御回路とを備えた加熱調理器と連動する換気扇装置であって、前記換気扇装置は、前記加熱調理器の上方に配置され、前記赤外線発信装置からの赤外線信号を受信する受信装置と、前記受信装置近傍に備えた反射材とを備え、前記反射材は、前記換気扇装置に着脱自在に備えられた構成とし
たことにより、鍋の取っ手や人の手や頭が、発信された赤外線を遮断することがないようにすることができる。
【００１４】
また、反射材を換気扇装置に着脱自在に備えた構成とすることにより、仮に赤外線発信装置を装着しない加熱調理器に入れ替えた場合でも、不要な反射材を取り外すことが可能である。不要な反射材を取り外した凹凸の少ない換気扇装置は掃除等がしやすく、見栄えも良くすることができる。
【００１５】
第２の発明は、特に、第１の発明の前記換気扇装置の一部は強磁性材料で形成され、前記反射材は磁石を備えた構成とすることにより、反射材を換気扇装置の任意の位置に固定することができるので、各家庭に設置する場合に各々最適な赤外線の反射状態に調整することができる。
【００１６】
また磁石で固定するので換気扇装置には特別な加工を施す必要がなく、加工費用が軽減でき外観も凹凸をなくすことができるので見栄えを良くすることができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における加熱調理器と連動する換気扇装置の斜視図である。図２は、本発明の第１の実施の形態における加熱調理器と連動する換気扇装置の部分斜視図である。
【００１９】
図１において、略直方体の本体１の天面２には結晶化ガラスで形成した厚さ４ｍｍの天板３が着脱できる構成になっている。天板３の下部で本体１内には左右に位置するように加熱コイル４が配置されている。
【００２０】
左の加熱コイル４の下方には魚等を焼くグリル５が配置されていて、本体１前面から調理物を出し入れする扉６が備えられている。
【００２１】
右の加熱コイル４の下方には加熱コイル４への電力を供給し制御する制御回路７が配置されている。制御回路７前方で本体１前面に開閉自在な操作部８が配置されている。操作部８で前記グリル５の調理を操作する。
【００２２】
前記天板３の加熱コイル４より前部端近傍に加熱コイル４を操作するスイッチ９が配置されている。スイッチ９はガラスで形成されている天板３を介して静電気で動作する静電タッチ式の構成をしている。
【００２３】
本体１後方右側に位置するとともに加熱コイル４より後ろの位置に吸気口１０が配置されている。吸気口１０は天板３の後ろに位置するので、天板３とは別部材で構成される。吸気口１０から室内の空気を吸気して前記制御回路７や加熱コイル４を冷却する。吸気口１０の下近傍には吸気用の冷却ファン１１が備えられている。
【００２４】
吸気口１０が本体１の右側に位置するのは本体１内の右側に前記制御回路７を内蔵するからである。前記冷却ファン１１は吸気口１０直下に配置されるので、吸気口１０から最短の距離で吸気するとともに、冷却ファン１１の前に制御回路７が配置されているので、最短距離で制御回路７に冷却風を送風することができる。
【００２５】
本体１後方左側に位置するとともに加熱コイル４より後ろの位置に排気口１２が配置さ
れている。本体１左側にはグリル５が配置されている。排気口１２からは前記吸気口１０から吸気して本体１内の制御回路７や加熱コイル４を冷却した空気が排気される。排気口１２は天板３の後ろに位置するので、天板３とは別部材で構成される。
【００２６】
吸気口１０と排気口１２にはカバー１３が載置されている。カバー１３は吸気口１０と排気口１２に嵌着されて位置が決められる。吸気口１０と排気口１２の下方で本体１内に赤外線発信装置１４が各々備えられている。
【００２７】
赤外線発信装置１４は本体１内から吸気口１０や排気口１２に載置されたカバー１３の貫通穴１５を通過して換気扇装置を駆動する駆動信号である赤外線信号を上方に放射する。赤外線発信装置１４の位置は本体１内で加熱コイル４より後ろに位置することになる。
【００２８】
本体１上方には換気扇装置１６が備えられている。換気扇装置１６は一般に表面処理された鋼板をプレス加工して形成した天蓋１７で覆われている。鋼板は強磁性体である。換気扇装置１６は天蓋１７の内方に配置されて、天蓋１７で誘導収集した煙を室外に排気する。換気扇装置１６には前述の赤外線発信装置１４から発信された赤外線信号を受信する受信装置１８が備えられている。
【００２９】
受信装置１８の位置は換気扇装置１６の前側に位置している。受信装置１８の受信指向性は換気扇装置１６前方からの赤外線信号を受信するが、換気扇装置１６後方からの赤外線信号は受信できない指向性である。
【００３０】
前記赤外線発信装置１４から発信された赤外線は本体１上方の約１００度の角度で放射されるが、受信装置１８は換気扇装置本体が遮断物となるために赤外線発信装置１４から直進する赤外線信号を受信することができない。
【００３１】
鋼板で形成された天蓋１７に反射材１９が磁石２０で固着されている。天蓋１７は強磁性体である鋼板で形成されている。反射材１９はステンレス鋼板等をプレス加工して形成されている。
【００３２】
反射材１９に設けられた反射面２１は光を反射しやすいようにできる限り鏡面に近い状態に加工する。反射面２１は反射材１９を形成するステンレス鋼板を平面に加工することで形成される。反射材１９に磁石２０を固着し、この磁石２０が強磁性体である鋼板で形成された天蓋１７に磁力で吸着する。
【００３３】
つまり強磁性体で形成された換気扇装置１６の一部である天蓋１７に反射材１９を磁石２０で固定することになる。天蓋１７には特別な加工をする必要はない。磁石２０の磁力で反射材１９を天蓋１７に固定するのみである。反射材１９は天蓋１７の前部に固定し反射面２１は本体１後方の吸気口１０や排気口１２の方向を向いている。
【００３４】
本体１後方から発信された赤外線信号は放射角の範囲内で放散する。一部は本体１前方方向に進む。本体１後方から前方に向かって進む赤外線信号の一部が、天蓋１７に取り付けられた反射材１９の反射面２１に反射されて、本体１前方から後方方向に向けて進む。
【００３５】
この赤外線信号を換気扇装置１６に前方に向けて取り付けられた前記受信装置１８が受信して赤外線発信装置１４の信号が受信装置１８に受信されることとなる。受信装置１８は天蓋１７の前方に位置するが、この位置は前記加熱コイル４の中心より前方に位置する。
【００３６】
赤外線信号の進路には鍋２２の取っ手２３や調理する人の手や頭はなく、直進する性質
がある赤外線信号を確実に受信装置１８に送ることができる。
【００３７】
従来は本体１前方位置つまり加熱コイル４より手前側の天板３下方に赤外線発信装置１４が配置されていたので、前記受信装置１８は換気扇装置１６前方に備えられている場合がほとんどであった。
【００３８】
特に加熱コイル４の中心より前に位置することが一般的であった。従来機種との互換性を考えると、受信装置１８は換気扇装置１６前側に配置するのが良い。赤外線発信装置１４が本体１前方つまり加熱コイル４より前方に位置した加熱調理器の場合は反射材１９で反射することなく受信装置１８に到達する。
【００３９】
加熱調理器の本体１を、加熱コイル４中心より前方に赤外線発信装置１４を備えた加熱調理器から、前記加熱コイル４中心より後方に赤外線発信装置１４を備えた加熱調理器に取り替えることを配慮すると、受信装置１８は換気扇装置１６前方に配置するのが良い。こうすることで赤外線発信装置１４が加熱調理器の本体１の前方に備えられていても、本体１の後方に備えられていても、任意に選択することができる。
【００４０】
以上のように構成された加熱調理器と連動する換気扇装置において、以下その動作、作用を説明する。
【００４１】
まず、天板３に鍋２２を置く。スイッチ９を操作して制御回路８から加熱コイル４に高い周波数の電流を流す。加熱コイル４から発生した磁束により鍋２２の底に渦電流が発生して発熱する。鍋２２の中の調理物は加熱に伴い蒸気を発生する。また本体１の排気口１２からは制御回路７や加熱コイル４を冷却した熱風が排気口１２から排出される。
【００４２】
操作部８を操作して赤外線発信装置１４から換気扇装置１６を動作させる赤外線信号を発信する。
【００４３】
赤外線発信装置１４から上向きに発信された赤外線はカバー１３の貫通穴１５を通って本体１上方に放散される。放散された赤外線の一部は本体１前方に向かって直進する。斜め上方に向かった赤外線は反射材１９の反射面２１に本体１後方方向から入射し、本体１前方から後方に向かう方向に反射される。
【００４４】
反射材１９に反射された赤外線は本体１前方から後方に向かう方向に直進し、受信装置１８に到達する。受信装置１８に受信された赤外線信号により換気扇装置１６が作動する。このようにして、鍋２２から蒸気等が発生すると、操作部８を操作することで換気扇装置１６を作動させることができる。
【００４５】
調理が終了した後しばらくは室内の換気をするために換気扇装置１６を運転しているが、やがて換気が終了すると操作部８を操作して、赤外線発信装置１４から停止信号である赤外線信号を発信し、反射材１９で反射させて受信装置１８に信号を導く。受信装置１８で停止信号を受信して換気扇装置１６は停止する。
【００４６】
赤外線発信装置１４からの赤外線信号は、操作部８からの直接の操作によるものや、制御回路７が自動的に操作信号を出して換気扇装置１６を作動させたり停止させたりすることができる。赤外線発信装置１４と受信装置１８の間で信号の送受信ができれば信号の発信源は人でも制御回路７でも良い。
【００４７】
（参考の形態１）
以下、本発明の参考の形態１について、図３を参照しながら説明する。
【００４８】
図３は、本参考の形態１における加熱調理器と連動する換気扇装置の斜視図である。
【００４９】
反射材３０と受信装置３１と反射面３２以外は実施の形態１と同じ符号のものは同じ形状であり同じ機能である。
【００５０】
図３において、反射材３０が天蓋１７の後方に固定されている。受信装置３１は換気扇装置１６の後方に配置されていて、後方からの信号を受信する構成になっている。受信装置３１の位置は換気扇装置１６の後ろ側に位置している。
【００５１】
受信装置３１の受信指向性は換気扇装置１６後ろ方向からの赤外線信号を受信するが、換気扇装置１６前方からの赤外線信号は受信できない指向性である。実施の形態１の受信装置１８と反射材１９の位置を換気扇装置１６の後ろに配置した位置関係になっている。
【００５２】
上記の内容も含めて、符号と名称が実施の形態１と同じものは実施の形態１と同じ機能であるので説明を省略する。
【００５３】
以上のように構成された加熱調理器と連動する換気扇装置において、以下その動作、作用を説明する。
【００５４】
まず、天板３に鍋２２を置く。スイッチ９を操作して制御回路７から加熱コイル４に高い周波数の電流を流す。加熱コイル４から発生した磁束により鍋２２の底に渦電流が発生して発熱する。鍋２２の中の調理物は加熱に伴い蒸気を発生する。また本体１の排気口１２からは制御回路７や加熱コイル４を冷却した熱風が排気口１２から排出される。操作部８を操作して赤外線発信装置１４から換気扇装置１６を動作させる赤外線信号を発信する。
【００５５】
赤外線発信装置１４から上向きに発信された赤外線はカバー１３の貫通穴１５を通って本体１上方に放散される。放散された赤外線の一部は本体１上方に向かって直進する。上方に直進した赤外線信号は直接受信装置３１に入射するか、反射材３０で反射した赤外線信号が受信装置３１に入射するか、いずれにしても赤外線信号は受信装置３１に到達する。受信装置３１に受信された赤外線信号により換気扇装置１６が作動する。
【００５６】
このようにして、鍋２２から蒸気等が発生すると、操作部８を操作することで換気扇装置１６を作動させることができる。
【００５７】
調理が終了した後しばらくは室内の換気をするために換気扇装置１６を運転しているが、やがて換気が終了すると操作部８を操作して、赤外線発信装置１４から停止信号である赤外線信号を発信し、反射材３０で反射させて受信装置３１に信号を導く。受信装置３１で停止信号を受信して換気扇装置１６は停止する。
【００５８】
赤外線発信装置１４からの赤外線信号は、操作部８からの直接の操作によるものや、制御回路７から自動的に発信信号を出して換気扇装置１６を作動させたり停止させたりすることができる。赤外線発信装置１４と受信装置３１の信号の送受信ができれば信号の発信源は人でも制御回路７でも良い。
【００５９】
本体１が故障するか古くなって入れ替えた場合に、赤外線発信装置１４が本体１の加熱コイル４より後方にある場合は上述のように赤外線の送受信をするが、赤外線発信装置１４が本体１前方に配置してある商品を入れ替えた場合には、本体１の加熱コイル４中心より前方に赤外線発信装置１４が位置するので、発信された赤外線信号は本体１上方に放射
されその一部が本体１後方に向かって進む。
【００６０】
反射材３０の反射面３２に本体１前方から後方の方向に進んで反射されて、反射面３２で反射された後は本体１後方から前方に向かって進む。そして受信装置３１に入射し信号が受信装置３１に到達する。
【００６１】
このようにして、操作部８を操作して換気扇装置１６を操作することができる。換気扇装置１６を停止する場合も同じ信号の伝達道程で伝達する。
【００６２】
つまり、赤外線発信装置１４の位置が本体１の前方に位置しても本体１の後方に位置しても受信装置３１が直接受信するか反射材３０の反射面３２で反射して受信装置３１に入射するかどちらかの方法で赤外線信号は受信装置３１に到達することとなる。
【００６３】
上述以外の動作や操作は実施の形態１と同じ動作、作用である。
【００６４】
なお、実施の形態１では反射材１９をステンレス鋼板で形成したが、赤外線を反射する材料または表面処理をしていれば耐熱性や耐久性があれば任意の材料で形成してもよい。赤外線を反射する材料であれば良い。
【００６５】
また、反射材１９を天蓋１７に固定する方法を鋼板で形成された天蓋１７に磁石２０を備えた反射材１９を磁力で固定する方法としたが、接着剤や両面テープで固定しても良い。
【００６６】
また、参考の形態１では受信装置３１と反射材３０を換気扇装置１６の後方で加熱コイル４の中心より後方に配置したが、換気扇装置１６の下方から放射される赤外線信号を反射する反射材１９が近傍に配置されていれば、受信装置１８と反射材１９とが天蓋１７の任意の位置に配置されていても良い。
【００６７】
本体１の任意の位置から放射される赤外線信号を反射材１９で反射させてから入射するか、直接受信装置１８に入射するかどちらかの道程で受信装置１８に赤外線信号が到達すれば良い。
【００６８】
また、赤外線発信装置１４は耐熱ガラスで形成された天板３を介さずに、カバー１３の貫通穴１５から放射されたが、本体１の外周近傍の鍋２２や人の手や頭に遮断されない位置から赤外線信号を放射すれば良い。
【００６９】
さらに、実施の形態１と参考の形態１では赤外線信号を本体１から換気扇装置１６へと送信したが、逆に換気扇装置１６から本体１に向けて赤外線信号を発信し、一部は直接本体１方向に放射され、一部は反射材１９、３０に反射されてから本体１方向に向かうように構成されていても良い。
【産業上の利用可能性】
【００７０】
以上のように、本発明にかかる換気扇装置は、赤外線を反射材が反射することで受信装置に確実に信号を伝えることができ、換気扇装置と連動する加熱調理器は、誘導加熱調理器、ガス加熱調理器等にも適用できる。
【図面の簡単な説明】
【００７１】
【図１】本発明の実施の形態１における加熱調理器と連動する換気扇装置の斜視図
【図２】本発明の実施の形態１における加熱調理器と連動する換気扇装置の部分斜視図
【図３】本参考の形態１における加熱調理器と連動する換気扇装置の斜視図
【符号の説明】
【００７２】
１  本体
３  天板
４  加熱コイル
７  制御回路
１４  赤外線発信装置
１６  換気扇装置
１８  受信装置
１９  反射材
３０  反射材
３１  受信装置
【図１】
0005003513.tif 000002
【図２】
0005003513.tif 000003
【図３】
0005003513.tif 000004